【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
少なくとも１つのサーバと、印刷装置と、を含む印刷システムであって、
前記少なくとも１つのサーバは、
音声制御デバイスが受け付けた音声指示に基づく指示データを受信する受信手段と、
前記受信された指示データに基づいて、メッセージデータを送信する送信手段と、
コンテンツデータを特定する特定手段と、
を備え、
前記送信手段は、
前記指示データが前記印刷装置の状態に関連する問い合わせを示す情報を含む場合、前記印刷装置の状態を応答するためのメッセージデータを送信し、
前記指示データが第１コンテンツの種類を示す情報を含む場合、印刷されるコンテンツを絞るためのメッセージデータを送信し、
前記指示データが前記第１コンテンツの種類と異なる第２コンテンツの種類を示す情報を含む場合、印刷されるコンテンツを絞るためのメッセージデータを送信せず、
前記特定手段は、前記指示データが前記第１コンテンツの種類を示す情報を含む場合、前記印刷されるコンテンツを絞るメッセージデータに基づく音声が前記音声制御デバイスにより出力された後に前記音声制御デバイスが受け付けた音声指示に基づく指示データに基づいて、コンテンツデータを特定し、
前記印刷装置は、前記特定されたコンテンツデータに基づき生成される印刷データに基づき印刷を実行する、
ことを特徴とする印刷システム。
【請求項２】
前記送信手段は、前記指示データに前記第２コンテンツの種類を示す情報が含まれる場合は、印刷設定項目に関して問い合わせるメッセージデータを送信することを特徴とする請求項１に記載の印刷システム。
【請求項３】
前記少なくとも１つのサーバは、前記第１コンテンツの種類として、複数のコンテンツデータファイルを格納しており、前記第２コンテンツの種類として、１つのコンテンツデータファイルのみを格納していることを特徴とする請求項１又は２に記載の印刷システム。
【請求項４】
前記送信手段から送信された前記印刷されるコンテンツを絞るためのメッセージデータに基づいて前記音声制御デバイスからメッセージが音声出力された後、前記音声制御デバイスにより前記第１コンテンツの種類のコンテンツに関連する音声指示が取得され、
前記送信手段は、前記第１コンテンツの種類のコンテンツに関連する音声指示が取得された後、印刷設定項目に関して問い合わせるメッセージデータを送信することを特徴とする請求項１乃至３のいずれか１項に記載の印刷システム。
【請求項５】
前記特定されたコンテンツデータと、印刷設定と、に基づき、前記印刷データが生成されることを特徴とする請求項１乃至４のいずれか１項に記載の印刷システム。
【請求項６】
前記印刷設定のうち問い合わせが行なわれない印刷設定項目には、あらかじめ決められた設定値が適用されることを特徴とする請求項５に記載の印刷システム。
【請求項７】
前記印刷設定には、従前の印刷に用いられた設定値が適用されることを特徴とする請求項５に記載の印刷システム。
【請求項８】
前記印刷設定項目は、印刷部数であることを特徴とする請求項６に記載の印刷システム。
【請求項９】
印刷設定項目に関して問い合わせるメッセージデータとして印刷部数を問い合わせるメッセージデータが送信されたことに基づき、複数の印刷部数がユーザにより指示された場合、コンテンツの種類に応じて、当該複数の印刷部数について同じコンテンツデータを印刷するか、もしくは、異なるコンテンツデータを印刷するかを変えることを特徴とする請求項１乃至８のいずれか１項に記載の印刷システム。
【請求項１０】
前記音声指示がガイダンスを要求するコマンドである場合、当該要求されたガイダンスに関するメッセージデータが送信されることを特徴とする請求項１乃至９のいずれか１項に記載の印刷システム。
【請求項１１】
前記音声制御デバイスはアカウントと関連づけて登録されていることを特徴とする請求項１乃至１０のいずれか１項に記載の印刷システム。
【請求項１２】
前記少なくとも１つのサーバは、前記音声制御デバイスと前記アカウントを介して関連づけられている端末装置に表示するための表示データを送信する表示データ送信手段をさらに備えることを特徴とする請求項１１に記載の印刷システム。
【請求項１３】
前記表示データは、前記送信手段により送信されるメッセージデータとは少なくとも一部が異なる情報を含むことを特徴とする請求項１２に記載の印刷システム。
【請求項１４】
少なくとも１つのサーバと、印刷装置と、を含む印刷システムの制御方法であって、
前記少なくとも１つのサーバは、
音声制御デバイスが受け付けた音声指示に基づく指示データを受信する受信工程と、
前記受信された指示データに基づいて、メッセージデータを送信する送信工程と、
コンテンツデータを特定する特定工程と、
を実行し、
前記送信工程は、
前記指示データが前記印刷装置の状態に関連する問い合わせを示す情報を含む場合、前記印刷装置の状態を応答するためのメッセージデータを送信し、
前記指示データが第１コンテンツの種類を示す情報を含む場合、印刷されるコンテンツを絞るためのメッセージデータを送信し、
前記指示データが前記第１コンテンツの種類と異なる第２コンテンツの種類を示す情報を含む場合、印刷されるコンテンツを絞るためのメッセージデータを送信せず、
前記特定工程は、前記指示データが前記第１コンテンツの種類を示す情報を含む場合、前記印刷されるコンテンツを絞るメッセージデータに基づく音声が前記音声制御デバイスにより出力された後に前記音声制御デバイスが受け付けた音声指示に基づく指示データに基づいて、コンテンツデータを特定し、
前記印刷装置は、前記特定されたコンテンツデータに基づき生成される印刷データに基づき印刷を実行する、
ことを特徴とする制御方法。
【請求項１５】
少なくとも１つのサーバを備えるサーバシステムであって、
音声制御デバイスが受け付けた音声指示に基づく指示データを受信する受信手段と、
前記受信された指示データに基づいて、メッセージデータを送信する送信手段と、
コンテンツデータを特定する特定手段と、
を備え、
前記送信手段は、
前記指示データが印刷装置の状態に関連する問い合わせを示す情報を含む場合、前記印刷装置の状態を応答するためのメッセージデータを送信し、
前記指示データが第１コンテンツの種類を示す情報を含む場合、印刷されるコンテンツを絞るためのメッセージデータを送信し、
前記指示データが前記第１コンテンツの種類と異なる第２コンテンツの種類を示す情報を含む場合、印刷されるコンテンツを絞るためのメッセージデータを送信せず、
前記特定手段は、前記指示データが前記第１コンテンツの種類を示す情報を含む場合、前記印刷されるコンテンツを絞るメッセージデータに基づく音声が前記音声制御デバイスにより出力された後に前記音声制御デバイスが受け付けた音声指示に基づく指示データに基づいて、コンテンツデータを特定し、
前記印刷装置により、前記特定されたコンテンツデータに基づき生成される印刷データに基づく印刷が実行される、
ことを特徴とするサーバシステム。
【手続補正２】
【補正対象書類名】明細書
【補正対象項目名】発明の名称
【補正方法】変更
【補正の内容】
【発明の名称】印刷システム、制御方法、サーバシステム
【手続補正３】
【補正対象書類名】明細書
【補正対象項目名】０００１
【補正方法】変更
【補正の内容】
【０００１】
本発明は、音声指示による印刷が可能な印刷システム、制御方法、サーバシステムに関する。
【手続補正４】
【補正対象書類名】明細書
【補正対象項目名】０００５
【補正方法】変更
【補正の内容】
【０００５】
本発明の目的は、このような従来の問題点を解決することにある。上記の点に鑑み、本発明は、印刷指示の操作性を更に向上させる印刷システム、制御方法、サーバシステムを提供することを目的とする。
【手続補正５】
【補正対象書類名】明細書
【補正対象項目名】０００６
【補正方法】変更
【補正の内容】
【０００６】
上記課題を解決するため、本発明に係る印刷システムは、少なくとも１つのサーバと、印刷装置と、を含む印刷システムであって、前記少なくとも１つのサーバは、音声制御デバイスが受け付けた音声指示に基づく指示データを受信する受信手段と、前記受信された指示データに基づいて、メッセージデータを送信する送信手段と、コンテンツデータを特定する特定手段と、を備え、前記送信手段は、前記指示データが前記印刷装置の状態に関連する問い合わせを示す情報を含む場合、前記印刷装置の状態を応答するためのメッセージデータを送信し、前記指示データが第１コンテンツの種類を示す情報を含む場合、印刷されるコンテンツを絞るためのメッセージデータを送信し、前記指示データが前記第１コンテンツの種類と異なる第２コンテンツの種類を示す情報を含む場合、印刷されるコンテンツを絞るためのメッセージデータを送信せず、前記特定手段は、前記指示データが前記第１コンテンツの種類を示す情報を含む場合、前記印刷されるコンテンツを絞るメッセージデータに基づく音声が前記音声制御デバイスにより出力された後に前記音声制御デバイスが受け付けた音声指示に基づく指示データに基づいて、コンテンツデータを特定し、前記印刷装置は、前記特定されたコンテンツデータに基づき生成される印刷データに基づき印刷を実行する、ことを特徴とする。